(57)【要約】      （修正有）【課題】均一な照明効果を備えるサイドミラー用ライトバーを提供する。【解決手段】サイドミラーのミラーベースに装設されることができ、ケース１と、光ガイド体３と、枠２と、第一プリント基板４と、第二プリント基板５と、第三プリント基板６と、蓋と、光拡散体８とを備えるサイドミラー用ライトバーであり、当該光拡散体が当該光ガイド体と当該第一プリント基板との間に位置されるように当該凹部に設けられ、当該光拡散体が数個の当該第一発光部品から発生する光線を通過し、当該光拡散体に均一に拡散し、当該ケースの外に均一に発光するように使われる。上述したことにより、本考案の光拡散体から射出する光線が均一になり、他の車や人々に注意を促すことができ、射出した光線が柔らかくなり、本考案の機能及び価値が強化される。【選択図】図４
0003215093.tif 000002
【実用新案登録請求の範囲】
【請求項１】
サイドミラーのミラーベースに装設されることができるサイドミラー用ライトバーであって、
ケースと、枠と、光ガイド体と、第一プリント基板と、第二プリント基板と、第三プリント基板と、蓋と、光拡散体とを備えるサイドミラー用ライトバーであり、
当該ケースは透光性を有し、且つ当該ケースに当該ミラーベースに対応する収納槽が設けられ、
当該枠が当該収納槽に対応して配合され、当該枠の一側に凹部が設けられ、当該枠は狭く長い指示部を備え、該枠の当該指示部の側の一端に穿孔が設けられ、当該枠の下側に透孔が設けられ、当該指示部の周りに数個の位置決め柱が別々に設けられ、
当該光ガイド体が当該指示部に対応されるように当該凹部に設けられ、当該光ガイド体の周りに当該位置決め柱に対応する少なくとも二つの第一位置決め孔がそれぞれに設けられ、
当該第一プリント基板が当該凹部に設けられ、且つ当該第一プリント基板は当該位置決め柱に対応する数個の第二位置決め孔を備え、当該第一プリント基板の前面に当該光ガイド体に対応する数個の第一発光部品を備え、そして当該第一プリント基板が車と電気的に連接されることで、数個の当該第一発光部品は当該光ガイド体で同時に連続発光すること、同時に明滅すること、或いは順次に発光すること、のうちの一つのモードで外に発光することが制御されるようになり、
当該第二プリント基板が当該凹部に設けられ、且つ当該第一プリント基板と電気的に連接され、そして当該第二プリント基板は当該穿孔に対応する数個の第二発光部品を有し、
当該第三プリント基板が当該凹部に設けられ、且つ電線で車と電気的に連接され、そして当該第三プリント基板は当該透孔に対応する数個の第三発光部品を有し、
当該蓋は当該収納槽を覆うことで、当該収納槽内にある当該枠、当該光ガイド体、当該第一プリント基板、当該第二プリント基板及び当該第三プリント基板が固定され、当該蓋は電線が通過するための孔と、当該位置決め柱に対応する少なくとも二つの第三位置決め孔とを備え、
当該光拡散体が当該光ガイド体と当該第一プリント基板との間に位置されるように当該凹部に設けられ、当該光拡散体が数個の当該第一発光部品から発生する光線を通過し、当該光拡散体に均一に拡散し、当該ケースの外に均一に発光するように使われることを特徴とする均一な照明効果を備えるサイドミラー用ライトバー。
【請求項２】
前記枠が前記指示部に位置され、当該枠にされに間隔で設けられる数個の間隔部品が設けられることを特徴とする請求項1に記載の均一な照明効果を備えるサイドミラー用ライトバー。
【請求項３】
前記間隔部品が前記指示部の一側にある第一間隔部品及び指示部の他の一側にある第二間隔部品で組み立てられることを特徴とする請求項2に記載の均一な照明効果を備えるサイドミラー用ライトバー。
【請求項４】
前記光拡散体は、拡散片、拡散膜、のうちの一つであることを特徴とする請求項1に記載の均一な照明効果を備えるサイドミラー用ライトバー。
【請求項５】
前記光ガイド体の一側にさらに位置決め槽が設けられ、当該位置決め槽が前記光拡散体を収納するために使われ、当該位置決め槽の内側にさらに当該光拡散体を位置決めするための少なくとも二つの位置決め部品が設けられることを特徴とする請求項1に記載の均一な照明効果を備えるサイドミラー用ライトバー。
【請求項６】
前記枠の内側の前記穿孔に、さらに前記第二プリント基板を位置決めするための第一位置決め槽が設けられることを特徴とする請求項1に記載の均一な照明効果を備えるサイドミラー用ライトバー。
【請求項７】
前記枠の内側の前記透孔に、さらに前記第三プリント基板を位置決めするための第二位置決め槽が設けられることを特徴とする請求項1に記載の均一な照明効果を備えるサイドミラー用ライトバー。
【請求項８】
前記ケースの周りの側に、さらに前記ミラーベースと互いに連接する少なくとも二つの固定部品が設けられることを特徴とする請求項1に記載の均一な照明効果を備えるサイドミラー用ライトバー。
【請求項９】
前記ケースの周りの側に、さらに少なくとも一つの位置決め孔が設けられ、当該位置決め孔にさらに前記ミラーベースと互いに連接する位置決め体が設けられることを特徴とする請求項1に記載の均一な照明効果を備えるサイドミラー用ライトバー。
【請求項１０】
前記蓋にある孔は、大きさを調整できる孔であることを特徴とする請求項1に記載の均一な照明効果を備えるサイドミラー用ライトバー。
【考案の詳細な説明】
【技術分野】
【０００１】
本考案は、ライトバーを関し、特にサイドミラーに設置することができるライトバーの構造に関するものである。
【背景技術】
【０００２】
現在、各種の車があり、交通が便利になり、でも運転中にも注意しなければならなく、例えば、車の両側に設置されるサイドミラー及びバックミラーで映される映像で、運転者は両側及び後ろに他の車或いは人がいるかどうかを確認し、事故を発生させないようにする。
【０００３】
現在のサイドミラーは後ろに観察するサポート機能があるが、夜に運転する場合に視線が悪いことで、サイドミラーで呈する映像は明瞭ではなく、その上に、車の両側に警告表示がほとんどないので、気づかない場合に事故が容易に発生するようになり、従って、上述した問題を解決するために、業者は車の側面にサイドライトを設置する以外に、サイドミラーのミラーベースにライトを設置する方法もある。
【０００４】
上述したライトの光源が同じな間隔で設けられる複数のLEDで組み立てられ、方向指示器と配合して警告の効果を強くするように発光され、しかし、複数のLEDで発生される光源が、均一ではなく、そして各LEDの品質が異なるので、壊れたLEDがある場合に全体的な輝度が均一ではなくなり、もし均一な照明効果を備える部品を増加したら、ライトの光源が均一になる。
【考案の概要】
【考案が解決しようとする課題】
【０００５】
そこで、上記の問題点に対して、上述した構造について改良したサイドミラー用ライトバーを提供することが本考案の課題となる。
【課題を解決するための手段】
【０００６】
本考案の目的は、発光する場合に光線が均一に拡散され、ことが達成できる均一な照明効果を備えるサイドミラー用ライトバーを提供する。
【０００７】
前記問題点を解決でき、上記目的を達成するために、本考案の均一な照明効果を備えるサイドミラー用ライトバーは、サイドミラーのミラーベースに装設されることができ、ケースと、枠と、光ガイド体と、第一プリント基板と、第二プリント基板と、第三プリント基板と、蓋と、光拡散体とを備えるサイドミラー用ライトバーであり、当該ケースは透光性を有し、且つ当該ケースに当該ミラーベースに対応する収納槽が設けられ、当該枠が当該収納槽に対応して配合され、当該枠の一側に凹部が設けられ、当該枠は狭く長い指示部を備え、該枠の当該指示部の側の一端に穿孔が設けられ、当該枠の下側に透孔が設けられ、当該指示部の周りに数個の位置決め柱が別々に設けられ、当該光ガイド体が当該指示部に対応されるように当該凹部に設けられ、当該光ガイド体の周りに当該位置決め柱に対応する少なくとも二つの第一位置決め孔がそれぞれに設けられ、当該第一プリント基板が当該凹部に設けられ、且つ当該第一プリント基板は当該位置決め柱に対応する数個の第二位置決め孔を備え、当該第一プリント基板の前面に当該光ガイド体に対応する数個の第一発光部品を備え、そして当該第一プリント基板が車と電気的に連接されることで、数個の当該第一発光部品は当該光ガイド体で同時に連続発光すること、同時に明滅すること、或いは順次に発光すること、のうちの一つのモードで外に発光することが制御されるようになり、当該第二プリント基板が当該凹部に設けられ、且つ当該第一プリント基板と電気的に連接され、そして当該第二プリント基板は当該穿孔に対応する数個の第二発光部品を有し、当該第三プリント基板が当該凹部に設けられ、且つ電線で車と電気的に連接され、そして当該第三プリント基板は当該透孔に対応する数個の第三発光部品を有し、当該蓋は当該収納槽を覆うことで、当該収納槽内にある当該枠、当該光ガイド体、当該第一プリント基板、当該第二プリント基板及び当該第三プリント基板が固定され、当該蓋は電線が通過するための孔と、当該位置決め柱に対応する少なくとも二つの第三位置決め孔とを備え、当該光拡散体が当該光ガイド体と当該第一プリント基板との間に位置されるように当該凹部に設けられ、当該光拡散体が数個の当該第一発光部品から発生する光線を通過し、当該光拡散体に均一に拡散し、当該ケースの外に均一に発光するように使われる。
【０００８】
前記枠が前記指示部に位置され、当該枠にされに間隔で設けられる数個の間隔部品が設けられることが好ましい。
【０００９】
前記間隔部品が前記指示部の一側にある第一間隔部品及び指示部の他の一側にある第二間隔部品で組み立てられることが好ましい。
【００１０】
前記光拡散体は、拡散片、拡散膜、のうちの一つであることが好ましい。
【００１１】
前記光ガイド体の一側にさらに位置決め槽が設けられ、当該位置決め槽が前記光拡散体を収納するために使われ、当該位置決め槽の内側にさらに当該光拡散体を位置決めするための少なくとも二つの位置決め部品が設けられることが好ましい。
【００１２】
前記枠の内側の前記穿孔に、さらに前記第二プリント基板を位置決めするための第一位置決め槽が設けられることが好ましい。
【００１３】
前記枠の内側の前記透孔に、さらに前記第三プリント基板を位置決めするための第二位置決め槽が設けられることが好ましい。
【００１４】
前記ケースの周りの側に、さらに前記ミラーベースと互いに連接する少なくとも二つの固定部品が設けられることが好ましい。
【００１５】
前記ケースの周りの側に、さらに少なくとも一つの位置決め孔が設けられ、当該位置決め孔にさらに前記ミラーベースと互いに連接する位置決め体が設けられることが好ましい。
【００１６】
前記蓋にある孔は、大きさを調整できる孔であることが好ましい。
【考案の効果】
【００１７】
本考案は、従来の技術と比べて、次に列挙する効果がある。
【００１８】
1. 本考案の光拡散体が光ガイド体と第一プリント基板との間に設けられることで、第一プリント基板にある第一発光部品から射出される光線が均一になり、且つ柔らかくなる。
【００１９】
2. 本考案の光拡散体が需要によって異なる様式で応用されるようになり、例えば、片状体或いは膜の様式で製造され、光ガイド体にある位置決め槽内に設置されることで光拡散体が位置決めされるようになる。
【００２０】
3. 本考案の枠にある指示部が中空の構造であり、且つ間隔部品で異なる様式を呈することができ、造形は美観性があり、発光状態の光源が多元化になり、消費者にはより多くの選択肢があるようになる。
【図面の簡単な説明】
【００２１】
【図１】：本考案を示す斜視図
【図２】：本考案を示す分解斜視図
【図３】：本考案の他の視角を示す分解斜視図
【図４】：図2のI部分を示す分解斜視図
【図５】：図3のII部分を示す分解斜視図
【図６】：本考案の光拡散体が光ガイド体にある位置決め槽内に設置される状態を示す背面図
【図７】：本考案がサイドミラーに設置される状態を示す斜視図
【考案を実施するための形態】
【００２２】
以下、本考案の実施の形態について、図面を参照して詳細に説明する。
【００２３】
図1乃至図6に示すように、本考案の均一な照明効果を備えるサイドミラー用ライトバーは、サイドミラーのミラーベースAに装設されることができ、ケース1と、枠2と、光ガイド体3と、第一プリント基板4と、第二プリント基板5と、第三プリント基板6と、蓋7と、光拡散体8とを備えるサイドミラー用ライトバー100であり、当該ケース1は透光性を有し、且つ当該ケース1に当該ミラーベースAに対応する収納槽11が設けられ、当該枠2が当該収納槽11に対応して配合され、当該枠2の一側に凹部21が設けられ、当該枠2は狭く長い指示部22を備え、該枠2の当該指示部22の側の一端に穿孔23が設けられ、当該枠2の下側に透孔24が設けられ、当該指示部22の周りに数個の位置決め柱25が別々に設けられ、当該光ガイド体3が当該指示部22に対応されるように当該凹部21に設けられ、当該光ガイド体3の周りに当該位置決め柱25に対応する少なくとも二つの第一位置決め孔31がそれぞれに設けられ、当該第一プリント基板4が当該凹部21に設けられ、且つ当該第一プリント基板4は当該位置決め柱25に対応する数個の第二位置決め孔41を備え、当該第一プリント基板4の前面に当該光ガイド体3に対応する数個の第一発光部品42を備え、そして当該第一プリント基板4が車と電気的に連接されることで、数個の当該第一発光部品42は当該光ガイド体3で同時に連続発光すること、同時に明滅すること、或いは順次に発光すること、のうちの一つのモードで外に発光することが制御されるようになり、当該第二プリント基板5が当該凹部21に設けられ、且つ当該第一プリント基板4と電気的に連接され、そして当該第二プリント基板5は当該穿孔23に対応する数個の第二発光部品51を有し、当該第三プリント基板6が当該凹部21に設けられ、且つ電線で車と電気的に連接され、そして当該第三プリント基板6は当該透孔24に対応する数個の第三発光部品61を有し、当該蓋7は当該収納槽11を覆うことで、当該収納槽11内にある当該枠2、当該光ガイド体3、当該第一プリント基板4、当該第二プリント基板5及び当該第三プリント基板6が固定され、当該蓋7は電線が通過するための孔71と、当該位置決め柱25に対応する少なくとも二つの第三位置決め孔72とを備え、当該光拡散体8が当該光ガイド体3と当該第一プリント基板4との間に位置されるように当該凹部21に設けられ、当該光拡散体8が数個の当該第一発光部品42から発生する光線を通過し、当該光ガイド体3に均一に拡散し、当該ケース1の外に均一に発光するように使われる。
【００２４】
前記ケース1、前記枠2、前記光ガイド体3、前記第一プリント基板4、前記第二プリント基板5、前記第三プリント基板6及び前記蓋7で組み立てられるサイドミラー用ライトバー100が図8に示すようにミラーベースAに装設され、当該第一プリント基板4が車と電気的に連接されることで、数個の当該第一発光部品42は車の制御で同時に連続発光すること、同時に明滅すること、或いは順次に発光すること、のうちの一つのモードで外に発光することで、他の車や人々に注意を促すことができ、交通事故の発生率が低くなる。
【００２５】
また、前記第一発光部品42から射出した光線が均一ではないので、図4に示すように、前記光拡散体8が前記光ガイド体3と前記第一プリント基板4との間に設けられることで、当該第一プリント基板4にある当該第一発光部品42が発光する場合に、光線が当該光拡散体8を通過して当該光ガイド体3に入射することで、光線が均一になり、従って、他の車や人々に注意を促すこと及び光線が柔らかくなることができ、本考案の機能及び価値が強化される。
【００２６】
前記枠2が前記指示部22に位置され、当該枠2にされに間隔で設けられる数個の間隔部品26が設けられる。
【００２７】
前記間隔部品26が前記指示部22の一側にある第一間隔部品261及び指示部の他の一側にある第二間隔部品262で組み立てられる。
【００２８】
本考案の前記枠にある前記指示部22が中空の構造であり、且つ前記間隔部品26で異なる様式を呈することができ、当該間隔部品26が図4に示すように、Γ字型の前記第一間隔部品261及びI字型の前記第二間隔部品262で組み立てられることで、当該指示部22の中央部分がつながらない状態のデサインで呈され、このデサインによって造形は美観性があり、発光状態の光源が多元化になり、消費者にはより多くの選択肢があるようになる。
【００２９】
前記光拡散体8は、拡散片、拡散膜、のうちの一つである。
【００３０】
前記光拡散体8が製造の需要によって異なる様式、例えば片状体或いは膜の形で応用されるようになる。
【００３１】
前記光ガイド体3の一側にさらに位置決め槽32が設けられ、当該位置決め槽32が前記光拡散体8を収納するために使われ、当該位置決め槽32の内側にさらに当該光拡散体8を位置決めするための少なくとも二つの位置決め部品321が設けられる。
【００３２】
図6に示すように、前記光拡散体8が前記光ガイド体3にある位置決め槽32内に設置されること及び当該光拡散体8と当該位置決め槽32との間に一定の間隔があるので、当該光拡散体8の厚さを配合するように、当該光拡散体8が位置決めされるができる。
【００３３】
前記枠2の内側の前記穿孔23に、さらに前記第二プリント基板5を位置決めするための第一位置決め槽27が設けられる。
【００３４】
前記枠2の内側の前記透孔24に、さらに前記第三プリント基板6を位置決めするための第二位置決め槽28が設けられる。
【００３５】
図3に示すように、前記枠2の一側の一端に前記穿孔23が設けられ、当該枠2の下側に前記透孔24が設けられ、当該枠2の内側に前記第一位置決め槽27及び前記第二位置決め槽28が設けられることで、前記第二プリント基板5及び前記第三プリント基板6が確実に設置されるようになり、前記第一プリント基板4の前記第一発光部品41と共に、当該第二プリント基板5で前記第二発光部品51が車両の両側に発光し、車両の車幅灯として使われ、当該第三プリント基板6が車両と電気的に連接されることで、ドアは開けられる場合に、第三発光部品61から地面に射出した光線で地面を照明することができる。
【００３６】
前記ケース1の周りの側に、さらに前記ミラーベースAと互いに連接する少なくとも二つの固定部品12が設けられる。
【００３７】
前記固定部品12により、前記サイドミラー用ライトバー100がねじなどの部品でサイドミラーに固定されることができる。
【００３８】
前記ケース1の周りの側に、さらに少なくとも一つの位置決め孔13が設けられ、当該位置決め孔13にさらに前記ミラーベースAと互いに連接する位置決め体9が設けられる。
【００３９】
前記位置決め体9が前記固定部品12に設けられること及びねじなどの部品で穿設されて位置決められることができ、各種類の車両のサイドミラーの様式が異なり、例えば一部のサイドミラーはドライビングレコーダー用の凹みがあり、でもドライビングレコーダーが設置されない場合に当該位置決め体9でその凹みを覆うことで、サイドミラーの美観性が良くなり、本考案の前記サイドミラー用ライトバー100を固定することができ、サイドミラーは上述した凹みがない場合に、当該位置決め体9が前記位置決め孔13から取り外されることができ、故に本考案が異なる車両のサイドミラーと配合して使われるようになる。
【００４０】
前記蓋7にある孔71は、大きさを調整できる孔である。
【００４１】
本考案の前記第一プリント基板4及び前記第三プリント基板6にある電線が車と電気的に連接するように前記蓋7にある前記孔71を通過して設けられることで、前記第一発光部品42、前記第二発光部品51及び前記第三発光部品61が発光するようになり、図6に示すように、当該孔71の中央は円であり、その円の縁が当該蓋7と互いに連接されることで、スポークの形の構造が形成され、電線の量及び太さにより、当該孔71の中央の円の部品を取り外すことで直径を調整でき、複数の電線を整理でき、且つ本考案が容易に前記ミラーベースAに装設されるようになる。
【００４２】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００４３】
1   ケース                     32    位置決め槽
11  収納槽                     321   位置決め部品
12  固定部品                   4     第一プリント基板
13  位置決め孔                 41    第二位置決め孔
2   枠                         42    第一発光部品
21  凹部                       5     第二プリント基板
22  指示部                     51    第二発光部品
23  穿孔                       6     第三プリント基板
24  透孔                       61    第三発光部品
25  位置決め柱                 7     蓋
26  間隔部品                   71    孔
261 第一間隔部品               72    第三位置決め孔
262 第二間隔部品               8     光拡散体
27  第一位置決め槽             9     位置決め体
28  第二位置決め槽             100   サイドミラー用ライトバー
3   光ガイド体                 A     ミラーベース
31  第一位置決め孔
【図１】
0003215093.tif 000003
【図２】
0003215093.tif 000004
【図３】
0003215093.tif 000005
【図４】
0003215093.tif 000006
【図５】
0003215093.tif 000007
【図６】
0003215093.tif 000008
【図７】
0003215093.tif 000009
【手続補正書】
【提出日】平成29年12月20日(2017.12.20)
【手続補正１】
【補正対象書類名】明細書
【補正対象項目名】０００８
【補正方法】変更
【補正の内容】
【０００８】
前記枠が前記指示部に位置され、当該枠にさらに等間隔で設けられる数個の間隔部品が設けられることが好ましい。
【手続補正２】
【補正対象書類名】明細書
【補正対象項目名】００２６
【補正方法】変更
【補正の内容】
【００２６】
前記枠2が前記指示部22に位置され、当該枠2にさらに等間隔で設けられる数個の間隔部品26が設けられる。
【手続補正３】
【補正対象書類名】実用新案登録請求の範囲
【補正対象項目名】全文
【補正方法】変更
【補正の内容】
【実用新案登録請求の範囲】
【請求項１】
サイドミラーのミラーベースに装設されることができるサイドミラー用ライトバーであって、
ケースと、枠と、光ガイド体と、第一プリント基板と、第二プリント基板と、第三プリント基板と、蓋と、光拡散体とを備えるサイドミラー用ライトバーであり、
当該ケースは透光性を有し、且つ当該ケースに当該ミラーベースに対応する収納槽が設けられ、
当該枠が当該収納槽に対応して配合され、当該枠の一側に凹部が設けられ、当該枠は狭く長い指示部を備え、該枠の当該指示部の側の一端に穿孔が設けられ、当該枠の下側に透孔が設けられ、当該指示部の周りに数個の位置決め柱が別々に設けられ、
当該光ガイド体が当該指示部に対応されるように当該凹部に設けられ、当該光ガイド体の周りに当該位置決め柱に対応する少なくとも二つの第一位置決め孔がそれぞれに設けられ、
当該第一プリント基板が当該凹部に設けられ、且つ当該第一プリント基板は当該位置決め柱に対応する数個の第二位置決め孔を備え、当該第一プリント基板の前面に当該光ガイド体に対応する数個の第一発光部品を備え、そして当該第一プリント基板が車と電気的に連接されることで、数個の当該第一発光部品は当該光ガイド体で同時に連続発光すること、同時に明滅すること、或いは順次に発光すること、のうちの一つのモードで外に発光することが制御されるようになり、
当該第二プリント基板が当該凹部に設けられ、且つ当該第一プリント基板と電気的に連接され、そして当該第二プリント基板は当該穿孔に対応する数個の第二発光部品を有し、
当該第三プリント基板が当該凹部に設けられ、且つ電線で車と電気的に連接され、そして当該第三プリント基板は当該透孔に対応する数個の第三発光部品を有し、
当該蓋は当該収納槽を覆うことで、当該収納槽内にある当該枠、当該光ガイド体、当該第一プリント基板、当該第二プリント基板及び当該第三プリント基板が固定され、当該蓋は電線が通過するための孔と、当該位置決め柱に対応する少なくとも二つの第三位置決め孔とを備え、
当該光拡散体が当該光ガイド体と当該第一プリント基板との間に位置されるように当該凹部に設けられ、当該光拡散体が数個の当該第一発光部品から発生する光線を通過し、当該光拡散体に均一に拡散し、当該ケースの外に均一に発光するように使われることを特徴とする均一な照明効果を備えるサイドミラー用ライトバー。
【請求項２】
前記枠が前記指示部に位置され、当該枠にさらに等間隔で設けられる数個の間隔部品が設けられることを特徴とする請求項1に記載の均一な照明効果を備えるサイドミラー用ライトバー。
【請求項３】
前記間隔部品が前記指示部の一側にある第一間隔部品及び指示部の他の一側にある第二間隔部品で組み立てられることを特徴とする請求項2に記載の均一な照明効果を備えるサイドミラー用ライトバー。
【請求項４】
前記光拡散体は、拡散片、拡散膜、のうちの一つであることを特徴とする請求項1に記載の均一な照明効果を備えるサイドミラー用ライトバー。
【請求項５】
前記光ガイド体の一側にさらに位置決め槽が設けられ、当該位置決め槽が前記光拡散体を収納するために使われ、当該位置決め槽の内側にさらに当該光拡散体を位置決めするための少なくとも二つの位置決め部品が設けられることを特徴とする請求項1に記載の均一な照明効果を備えるサイドミラー用ライトバー。
【請求項６】
前記枠の内側の前記穿孔に、さらに前記第二プリント基板を位置決めするための第一位置決め槽が設けられることを特徴とする請求項1に記載の均一な照明効果を備えるサイドミラー用ライトバー。
【請求項７】
前記枠の内側の前記透孔に、さらに前記第三プリント基板を位置決めするための第二位置決め槽が設けられることを特徴とする請求項1に記載の均一な照明効果を備えるサイドミラー用ライトバー。
【請求項８】
前記ケースの周りの側に、さらに前記ミラーベースと互いに連接する少なくとも二つの固定部品が設けられることを特徴とする請求項1に記載の均一な照明効果を備えるサイドミラー用ライトバー。
【請求項９】
前記ケースの周りの側に、さらに少なくとも一つの位置決め孔が設けられ、当該位置決め孔にさらに前記ミラーベースと互いに連接する位置決め体が設けられることを特徴とする請求項1に記載の均一な照明効果を備えるサイドミラー用ライトバー。
【請求項１０】
前記蓋にある孔は、大きさを調整できる孔であることを特徴とする請求項1に記載の均一な照明効果を備えるサイドミラー用ライトバー。